(57)【要約】【課題】端子の輸送時やハウジングへの挿入時に、接触用バネや他の部品の損傷を防止できるコネクタを提供する。【解決手段】基板１０が挿入できる基板挿入室９と、基板挿入室９の両側に仕切壁９３、９４を挟んで配置された端子収容室３、４と、仕切壁９３、９４に設けられたバネ用開口部９１、９２とを有するハウジング５と、端子収容室３、４に収容される箱部２１と、箱部２１に一端が固定される接触用バネ２２を有する端子２とを備え、ハウジング５には、接触用バネ２２を弾性変形させてバネ用開口部９１、９２より基板挿入室９に突出する位置まで押圧するバネ押上部５５、５６が設けられた。【選択図】図４
2014229377.tif 000002
【特許請求の範囲】
【請求項１】
基板が挿入できる基板挿入室と、前記基板挿入室に仕切壁を挟んで配置された端子収容室と、前記仕切壁に設けられたバネ用開口部とを有するハウジングと、
前記端子収容室に収容される箱部と、前記箱部に一端が固定され、前記バネ用開口部より前記基板挿入室に突出する接触用バネを有する端子とを備えたコネクタであって、
前記ハウジングには、前記端子の前記箱部内に収容された前記接触用バネを弾性変形させて前記バネ用開口部より前記基板挿入室に突出する位置まで押圧するバネ押上部が設けられたことを特徴とするコネクタ。
【請求項２】
請求項１記載のコネクタであって、
前記バネ押上部は、前記端子の前記端子収容室への挿入に千渉しない待機位置と前記端子の前記接触用バネを前記バネ用開口部より前記基板挿入室に突出する位置とするバネセット位置との間で前記ハウジングに変移自在に設けられたことを特徴とするコネクタ。
【請求項３】
請求項２記載のコネクタであって、
前記バネ押上部には、前記バネセット位置では前記端子収容室に完全挿入された前記端子の反挿入方向への移動を阻止する端子係止部が付設されていることを特徴とするコネクタ。
【請求項４】
請求項１〜請求項３のいずれか１項に記載のコネクタであって、
前記端子収容室は、前記基板挿入室を間に挟んで両側に配置され、前記基板挿入室に挿入された前記基板の両面に両側の前記端子の前記各接触用バネが接触されることを特徴とするコネクタ。
【発明の詳細な説明】
【技術分野】
【０００１】
本発明は、基板と電気的に接続するコネクタに関する。
【背景技術】
【０００２】
この種のコネクタの一従来例が図５に示されている（特許文献１参照）。図５において、コネクタ１００は、ハウジング１０１と、このハウジング１０１の上下２段に亘って収容される複数の端子１０４とを備えている。ハウジング１０１は、後端で互いに回動可能に連結される一対のハウジング部材１０１ａ、１０１ｂから構成されている。一対のハウジング部材１０１ａ、１０１ｂ間には、配線基板などの基板１０２が挿入できる基板挿入部１０３が形成されている。一対のハウジング部材１０１ａ、１０１ｂには、端子１０４を収容する端子収容室１０５と、これらの基板挿入部１０３と端子収容室１０５とを仕切る仕切壁１０６とがそれぞれ設けられている。各仕切壁１０６には、端子１０４の接触用バネ１０７を基板挿入部１０３に突出させるバネ用開口部１０８が設けられている。
【０００３】
端子１０４は、箱部１１０を有し、この箱部１１０より接触用バネ１０７が外部に突出している。端子１０４には、一対のハウジング部材１０１ａ、１０１ｂの後方へ延びる電線１０９が接続されている。
【０００４】
上記構成において、一対のハウジング部材１０１ａ、１０１ｂの各端子収容室１０５に端子１０４を収容し、仕切壁１０６のバネ用開口部１０８を介して端子１０４の接触用バネ１０７を基板挿入部１０３に突出させる。次いで、閉じた状態のハウジング部材１０１ａ、１０１ｂ間に形成される基板挿入部１０３に配線基板などの基板１０２を挿入し、この基板１０２を接触用バネ１０７と接触させることにより、端子１０４を介して基板１０２を電線１０９と電気的に接続することができる。
【先行技術文献】
【特許文献】
【０００５】
【特許文献１】特開平１１−２８８７６８号公報
【発明の概要】
【発明が解決しようとする課題】
【０００６】
ところで、前記従来例では、ハウジング１０１に装着する前の端子１０４は、接触用バネ１０７が箱部１１０より突出している。そのため、端子１０４単体で移動（輸送）等を行う場合には、他部品との接触によって接触用バネ１０７が損傷する恐れがある。又、端子１０４をハウジング１０１に挿入する際に、接触用バネ１０７とハウジング１０１が干渉して損傷する恐れがある。
【０００７】
そこで、本発明は、前記した課題を解決すべくなされたものであり、端子の輸送や端子のハウジングへの挿入を行う際に、接触用バネや他の構成部品の損傷を防止できるコネクタを提供することを目的とする。
【課題を解決するための手段】
【０００８】
本発明は、基板が挿入できる基板挿入室と前記基板挿入室に仕切壁を挟んで配置された端子収容室と前記仕切壁に設けられたバネ用開口部とを有するハウジングと、前記端子収容室に収容される箱部と前記箱部に一端が固定され前記バネ用開口部より前記基板挿入室に突出する接触用バネを有する端子とを備えたコネクタであって、前記ハウジングには、前記端子の前記箱部内に収容された前記接触用バネを弾性変形させて前記バネ用開口部より前記基板挿入室に突出する位置まで押圧するバネ押上部が設けられたことを特徴とするコネクタである。
【０００９】
前記バネ押上部は、前記端子の前記端子収容室への挿入に千渉しない待機位置と前記端子の前記接触用バネを前記バネ用開口部より前記基板挿入室に突出する位置とするバネセット位置との間で前記ハウジングに変移自在に設けられたものを含む。前記バネ押上部には、前記バネセット位置では前記端子収容室に完全挿入された前記端子の反挿入方向への移動を阻止する端子係止部が付設されているものを含む。前記端子収容室は、前記基板挿入室を間に挟んで両側に配置され、前記基板挿入室に挿入された前記基板の両面に両側の前記端子の前記各バネ接触部が接触されるものを含む。
【発明の効果】
【００１０】
本発明によれば、端子をハウジングの端子収容室に挿入し、バネ押上部で端子の箱部内に収容された接触用バネを押圧することにより、接触用バネが弾性変形してバネ用開口部より基板挿入室に突出する。つまり、接触用バネは、ハウジングに収容されて初めて箱部より外部に突出する。従って、端子をハウジングに組み付ける前の端子単体の状態（例えば輸送時）、及び、端子をハウジングの端子収容室に挿入する過程では、端子の接触用バネが箱部内に収容されているため、接触用バネが他部品やハウジングと接触せず損傷を受けない。これにより、端子やハウジングの損傷、接触用バネの変形等を防止できる。
【図面の簡単な説明】
【００１１】
【図１】本発明の一実施形態を示し、コネクタの分解斜視図である。
【図２】本発明の一実施形態を示し、端子の斜視図である。
【図３】本発明の一実施形態を示し、（ａ）はコネクタの正面図、（ｂ）は端子をハウジングに挿入する過程における（ａ）のＡ−Ａ線に沿う断面図である。
【図４】本発明の一実施形態を示し、（ａ）はコネクタの断面図、（ｂ）は（ａ）のＢ部の拡大図である。
【図５】一従来例を示し、コネクタの分解斜視図である。
【発明を実施するための形態】
【００１２】
以下、本発明の一実施形態を図面に基づいて説明する。
【００１３】
図１〜図４は本発明の一実施形態を示す。本実施形態のコネクタ１は、防水機能を備えたカードエッジコネクタである。コネクタ１は、複数の端子２をそれぞれ収容する端子収容室３、４が２段に配列された状態で設けられるハウジング５と、このハウジング５の端子収容室３、４に配置される複数の端子２と、ハウジング５の後端に装着されるシールホルダ６により保持され、各端子２に接続される電線７とハウジング５との間を止水する弾性材料製のマットシール（ゴム栓）８とを備えている。
【００１４】
ハウジング５では、相対する２つの面（図３（ｂ）の上面及び下面）に開口部５１、５２がそれぞれ設けられ、これらの開口部５１、５２には、一体化ヒンジ５３ａ、５４ａを介してハウジング５に連結されるカバー部材５３、５４が開閉可能に設けられている。一体化ヒンジ５３ａ、５４ａは、ハウジング５の後端側に配置される。
【００１５】
また、ハウジング５では、２段に配列された端子収容室３、４間に、配線基板などの基板１０が前端側の基板挿入口９ａを介して挿入できる基板挿入室９が介設されると共に、この基板挿入室９は、バネ用開口部９１、９２を有する仕切壁９３、９４により挟まれる状態で配置されている。すなわち、端子収容室３、４は、基板挿入室９を間に挟んで両側に配置され、基板挿入室９に挿入された基板１０の両面に両側の端子２の後述する各接触用バネ２２が接触する。
【００１６】
各端子２は、箱状に形成され、端子収容室３、４に収容される箱部２１と、この箱部２１に一端（前端）が固定され、バネ用開口部９１、９２より基板挿入室９に突出する接触用バネ２２と、電線７に接続される電線接続部２３とを有している。
【００１７】
カバー部材５３、５４は、端子２の箱部２１内に収容された接触用バネ２２を弾性変形させてバネ用開口部９１、９２より基板挿入室９に突出する位置まで押圧するバネ押上部５５、５６を有する。
【００１８】
バネ押上部５５、５６は、端子２の端子収容室３、４への挿入に千渉しない待機位置（ハウジング５の開口部５１、５２を開いた図１、図３（ｂ）の状態）と端子２の接触用バネ２２をバネ用開口部９１、９２より基板挿入室９に突出する位置とするバネセット位置（ハウジング５の開口部５１、５２を閉じた図４（ａ）の状態）との間でハウジング５に変移自在に設けられている。バネ押上部５５、５６には、前記バネセット位置では端子収容室３、４に完全挿入された端子２の反挿入方向（図４の右方向）への移動を阻止する端子係止部５７、５８が付設されている。
【００１９】
上記構成において、コネクタ１の組み付け作業を説明する。端子２には電線７が接続され、電線７にはマットシール８及びシールホルダ６を挿通されている。カバー部材５３、５４を図３（ｂ）に示す開放位置とし、各端子２をハウジング５の後端側から挿入して箱部２１を端子収容室３、４の前端側に収容する。その際、上段の接触用バネ２２を下向きに配置しつつ端子２を上段の端子収容室３に挿入し、下段の接触用バネ２２を上向きに配置しつつ端子２を下段の端子収容室４に挿入することによって、各接触用バネ２２を仕切壁９３、９４のバネ用開口部９１、９２に対向させる。
【００２０】
ハウジング５に端子２を収容した後、カバー部材５３、５４を閉じる。これにより、バネ押上部５５、５６は、図４に示すバネセット位置に移動し、端子２の箱部２１内に収容された接触用バネ２２が押圧変形してバネ用開口部９１、９２より基板挿入室９に突出する。また、バネ押上部５５、５６に付設される端子係止部５７、５８が端子２の係止孔２ａに係止される。これにより、端子２の反挿入方向への移動が阻止される。又、電線７に挿通されたマットシール８及びシールホルダ６をハウジング５の後端に装着する。
【００２１】
基板１０が基板挿入室９に挿入されると、基板１０の各接点（図示せず）が各接触用バネ２２に接触する。
【００２２】
以上説明したように、ハウジング５には、端子２の箱部２１内に収容された接触用バネ２２を弾性変形させてバネ用開口部９１、９２より基板挿入室９に突出する位置まで押圧するバネ押上部５５、５６が設けられている。つまり、接触用バネは、ハウジング５に収容されて初めて箱部２１より外部に突出する。従って、端子２をハウジング５に収容する前の端子２単体の状態（例えば輸送時）、及び、端子２をハウジング５の端子収容室３、４に挿入する過程では、端子２の接触用バネ２２が箱部２１内に収容されているため、接触用バネ２２が他部品やハウジング５と接触せず損傷を受けない。これにより、端子２やハウジング５の損傷、接触用バネ２２の変形等を防止できる。
【００２３】
バネ押上部５５、５６の高さを可変することによって接触用バネ２の押上げ高さＨを調整することができる。つまり、接触用バネ２２の高さ調整、及びバネ圧調整が可能であるため、接触用バネ２２と基板１０間の電気的な接続を良好な状態に保つことが容易にできる。又、基板１０の基板挿入室９への挿入力を容易に調整できる。
【００２４】
バネ押上部５５、５６の待機位置にて端子２の端子収容室３、４への挿入を行うと、バネ押上部５５、５６が接触用バネ２２に千渉せず端子２が付勢されることがないので、端子２を端子収容室３、４へスムーズに挿入できる。また、この端子２の挿入時にバネ押上部５５、５６を損傷するような事態が発生しない。
【００２５】
端子２を端子収容室３、４に挿入する際に、端子２が端子係止部５７、５８に千渉しないため、スムーズな端子２の挿入を可能としつつ、カバー部材５３、５４を閉じることにより端子係止部５７、５８で端子２の引き抜きを防止できる。
【００２６】
ハウジング５の基板挿入室９に基板１０を挿入すると、基板挿入室９を間に挟んで両側に配置された端子収容室３、４より突出する各接触用バネ２２に基板１０の両面が接触するので、基板１０との接触面積を大きくすることができる。
【００２７】
なお、本実施形態では、基板挿入室９の両側に端子収容室３、４があるが、本発明はこれに限定されず、基板挿入室の一方にのみ端子収容室を有するコネクタでも適用可能である。
【符号の説明】
【００２８】
１  コネクタ（カードエッジコネクタ）
２  端子
３、４  端子収容室
５  ハウジング
７  電線
９  基板挿入室
１０  基板
２１  箱部
２２  接触用バネ
５５、５６  バネ押上部
５７、５８  端子係止部
９１、９２  バネ用開口部
９３、９４  仕切壁
【図１】
2014229377.tif 000003
【図２】
2014229377.tif 000004
【図３】
2014229377.tif 000005
【図４】
2014229377.tif 000006
【図５】
2014229377.tif 000007